(57)【要約】【課題】汚染された底泥を浚渫するものの、その捨て場所に困ることがなく、硫化水素の発生を防止し、リンや窒素等を減少させて水質を浄化することができ、また有害物質で汚染された水底からの食物連鎖も断絶することができる底泥処理工法を提案する。【解決手段】汚染された底泥を透水性の袋に詰めて所定個所に敷き詰めることにより緩傾斜護岸を形成し、次にその上に製鋼スラグ及び又は水砕スラグを敷き均して、底泥を圧密沈下させ、底泥からの排水をろ過する共に周囲の水質の浄化を行い、その後必要により砂質土を覆砂して藻場を造成する。【選択図】　図２
2004116260.tif 000002
【特許請求の範囲】
【請求項１】
汚染された底泥を透水性の袋に詰めて所定個所に敷き詰め、次にその上にスラグを敷き均すことを特徴とする底泥処理工法。
【請求項２】
前記袋は麻袋、綿袋等の生分解性の袋であり、前記スラグは製鋼スラグ及び又は水砕スラグである請求項１記載の底泥処理工法。
【請求項３】
前記袋詰めの底泥がスラグの敷き詰めにより圧密沈下後、砂質土を覆砂し、必要により更に藻場造成を行うようにした請求項１又は２記載の底泥処理工法。
【発明の詳細な説明】
【０００１】
【発明の属する技術分野】
本発明は、有害・汚染物質を含み、あるいは硫化水素等を発生する底泥が堆積する湾内や湖沼、河川等の底質を改善し、かつ水質を浄化する底泥処理工法に関するものである。
【０００２】
【従来の技術】
従来、このような場所の底質改善法としては、浚渫を行って底泥を除去したり、更に浚渫後に良質土と置換する工法や、底泥上に砂をまいて敷き均す覆砂工法等が一般に行われている。
【０００３】
しかし、浚渫による方法は浚渫泥の捨て場所の確保が非常に困難であり、土捨て場では新たな公害発生の原因ともなってしまう。また、覆砂工法は底泥を除去するものではないので、有害物質が溶出する虞れがあり、食物連鎖に悪影響を及ぼす危険もある。
【０００４】
【発明が解決しようとする課題】
本発明は、汚染された底泥を浚渫するものの、その捨て場所に困ることがなく、硫化水素の発生を防止し、リンや窒素（Ｎ）等の溶出を減少させて、水質を保全し、しかも汚染された水底からの食物連鎖も断絶することができる底泥処理工法を提案するものである。
【０００５】
【課題を解決するための手段】
本発明は、浚渫した底泥を麻袋や綿袋等の透水性かつ生分解可能な袋体に詰め、これを再び浚渫個所に戻して敷き詰め、しかる後にその上に製鋼スラグ及び又は水砕スラグを敷き均すのである。
【０００６】
これにより、まず汚染された底泥は麻袋等の袋体にパックされて生物との接触が阻止されるので、水底での食物連鎖による有害物質の蓄積を断絶することができる。
【０００７】
また、袋体は、その上側のスラグ（鉱滓）が上載荷重として作用するので、それ自体が排水路となって底泥の水分を排出するドレーン効果が生じ、袋体の底泥を圧密沈下させて底泥からの排水を促進し、底泥の大幅な減容化及び圧密時間の短縮を図ることができる。なお、有害物質は底泥の土粒子に強く吸着されているので、袋体からの排水中には有害物質は溶出しない。
【０００８】
更に、底泥上の多孔質スラグは海水及び底泥からの排水の浄化を行う。例えば、製鋼スラグは硫化水素を硫化鉄に変えて安定させ、水砕スラグはその細孔に付着した微生物により有機物を分解し、また含まれる鉄分によって富栄養化をもたらすリンを吸着し、同時にろ過によって海水中のＳＳ（浮遊物質）を除去する。そして、上記のようにして袋体の底泥が減容化され圧密沈下したら、必要により砂質土を覆砂する。これにより底生生物の生活環境を整え、またアマモ等の藻場造成に適した環境を整備して、自然浄化機能の向上を図ることも可能となる。
以下、本発明の実施形態を図により説明する。
【０００９】
【発明の実施の形態】
図は、一例として、比較的海水交換の少ない湾内や汽水湖の沿岸部に堆積する底泥を処理する場合の工程説明図である。
【００１０】
まず、改良区域の汚染された底泥５を浚渫船により浚渫し、この底泥を多数の麻袋１（例えば、直径３０〜４０ｃｍ×長さ３〜４ｍの円筒状のもの）に詰める。なお、透水性で生分解性の素材であれば、麻袋に代えて綿袋やトウモロコシ繊維による袋等を使用することもできる。
【００１１】
浚渫に際しては、あらかじめ浚渫底泥５の層厚を調査し、例えば１〜２ｍの厚さで浚渫して緩やかな傾斜とする。
【００１２】
次に、底泥をパック詰めした多数の麻袋１を専用型枠により（あるいは潜水夫によって）その改良区域内の水底に戻し敷き均して緩傾斜の護岸を形成して行く（図１参照）。
【００１３】
次に、クレーン船又は潜水夫によりこの緩傾斜護岸の上側に土のう袋又は蛇篭に詰めた製鋼スラグ２を敷き詰め、更にその上に土のう袋に詰めた水砕スラグ３を敷き均す（図２）。製鋼スラグと水砕スラグの２層構造は汚染状況により選択されるもので、いずれか１層であってもよい。また、これらスラグは必ずしも土のう袋や蛇篭に詰める必要はなく、そのまま均一に散布してもよい。
【００１４】
このような層構造にすると、スラグの荷重と麻袋のドレーン作用により、袋詰めされた底泥からの排水が始まり、底泥は圧密され減容化されて行く。なお、圧密速度は排水距離の２乗に反比例して速くなる。
【００１５】
この時、底泥からの排水は麻袋やスラグによりろ過される。また、このスラグは微多孔性で微生物が付着しているので、有機物を分解する作用があり、ＳＳをろ過によって除去する。また、製鋼スラグは底泥から発生する硫化水素を硫化鉄に変え、水砕スラグはその鉄分によって富栄養化の因となるリンを吸着するので、波や潮の干満差により海水が浄化されて行く。
【００１６】
上記のようにして圧密沈下が進行した時点で、スラグ２、３上に例えば層厚２０〜８０ｃｍ程度で砂質土４を敷設する（図３）。この場合、覆砂の前に必要によりスラグ層を撤去してもよい。覆砂した砂質土は藻場造成の土壌となるもので、底泥からの有機物質の溶出も防止する。なお、覆砂後、ろ過専用船や台船上に設置した浄化ユニットにより更に直接水質の浄化を行ってもよい。
【００１７】
このようにして改良区域内の水質浄化が行われた後、砂質土にアマモ等の海草を植生すれば、多様な生態系が形成され、海域浄化に寄与することになる。例えば、微生物によって分解された細かい有機物は貝類やゴカイ、甲殻類等の栄養源となり、藻場を構成する植物の表面には珪藻などの小型の付着藻類が生育し、これを餌にヨコエビ類やワレカラ類、アミ類などが集まり、更にこれらを餌とする幼稚魚や小魚、無せき椎動物が住みついて生態系が形成され、自然浄化機能を有する砂浜海岸が再生されることになる。
【００１８】
【発明の効果】
本発明の方法は上述のようにしてなり、次のような効果を有する。
（１）浚渫した汚染底泥を現場で処分、即ち麻袋等の透水性袋に詰めて、浚渫個所に戻すので、処分場が不要であり、新たな公害を発生させることがなく、経済面でも有利であり、また袋詰めにより生物との接触が断絶され、食物連鎖による有害物質の蓄積が防止される。
【００１９】
（２）袋詰めした底泥の上側にスラグ（製鋼スラグ、水砕スラグ）を敷き均すことにより、底泥が圧密、減容化され、底泥からの排水は麻袋やスラグによりろ過され、硫化水素の発生を防止し、ＳＳやリンを除去して富栄養化の対策が図られることとなり、海水が浄化される。また、重金属等の汚染堆積物の処分も可能となる。しかも、底泥を詰める袋に麻袋等の生分解性のものを使用することにより、底泥の圧密沈化後に有機分解され消滅することとなる。
【００２０】
（３）さらに、底泥の圧密沈化後に砂質土を覆砂して、藻場造成を行うことにより、自然浄化機能を備えた好環境の砂浜海岸を再生することが可能となる。
【図面の簡単な説明】
【図１】本発明に係る底泥処理工法の工程の一部を示す説明図で、底泥を浚渫後、袋詰めした底泥を敷き均しながら緩傾斜護岸を形成している状態を示している。
【図２】本発明に係る底泥処理工法の工程の一部を示す説明図で、上記袋詰めした底泥上に製鋼スラグ及び水砕スラグを敷き均している状態を示している。
【図３】本発明に係る底泥処理工法の工程の一部を示す説明図で、上記スラグ上に砂質土を覆砂した状態を示している。
【符号の説明】
１−袋詰めした底泥
２−製鋼スラグ
３−水砕スラグ
４−砂質土
５−汚染底泥
【図１】
2004116260.tif 000003
【図２】
2004116260.tif 000004
【図３】
2004116260.tif 000005